(57)【要約】【課題】効果的な水質浄化性能を有し、広い水域の浄化に適し、移動が容易で、コストが低減する移動式水質浄化装置。【解決手段】移動式水質浄化装置を、浄化しようとする水域の水を汲み上げ、この水にオゾンガスを溶解させて、再度同水域に放流する移動式水質浄化装置であって、同水域の水を汲み上げるポンプと、ポンプにより汲み上げられた水に酸素を含むガスおよびオゾンガスを吸入させる個々または共通のインジェクタと、酸素を含むガスおよびオゾンガスを吸入した水を貯留する貯留タンクと、インジェクタに酸素を含むガスを供給する酸素を含むガスの供給手段と、インジェクタにオゾンガスを供給するオゾンガス供給手段と、機器に電力を供給する電力供給手段と、機器の制御手段とを水上に浮上する浮体内に搭載し、貯留タンク内の水を前記水域に放流する放流手段を備えてなるように構成した。【選択図】　　　　　　図２
2004097982.tif 000002
【特許請求の範囲】
【請求項１】
浄化しようとする水域の水を汲み上げ、この水にオゾンガスを溶解させて、再度前記水域に放流する移動式水質浄化装置であって、前記水域内の水を汲み上げるポンプと、同ポンプにより汲み上げられた水に酸素を含むガスおよびオゾンガスを吸入させる個々または共通のインジェクタと、前記酸素を含むガスおよびオゾンガスを吸入した水を貯留する貯留タンクと、前記インジェクタに酸素を含むガスを供給する酸素を含むガスの供給手段と、同インジェクタにオゾンガスを供給するオゾンガス供給手段と、前記移動式水質浄化装置内の機器に電力を供給する電力供給手段と、同移動式水質浄化装置内の機器の制御手段とを水上に浮上する浮体内に搭載し、前記貯留タンク内の水を前記水域に放流する放流手段を備えてなることを特徴とする移動式水質浄化装置。
【請求項２】
請求項１に記載の移動式水質浄化装置において、前記浮体は単数ないしは締結され互いに分割可能な複数の隔室からなり、周囲に複数のフロートを取外し可能に取り付けてなることを特徴とする移動式水質浄化装置。
【請求項３】
請求項２に記載の移動式水質浄化装置において、前記隔室は輸送用コンテナの外寸、固定具、強度の規格に準拠していることを特徴とする移動式水質浄化装置。
【発明の詳細な説明】
【０００１】
【発明の属する技術分野】
本発明は、広い水域の水質を効率よく浄化できる移動式水質浄化装置に関する。
【０００２】
【従来の技術】
従来、水を浄化する方法の一例として、酸素の多い環境で水質浄化に寄与する好気生物の活動を活性化し、あるいは酸化促進による浄化を行なうため、水中の溶存酸素を補うことを目的として散気管（散気板）、エジェクタ等による曝気が採用されている。しかし、その場合、気泡の大きさにより、酸素が水中に十分に溶解されないまま水面まで上昇し、水中に酸素がよく溶存しない問題点がある。それを解決しようとして散気管の目を細かくすると圧力損失が大きくなり、それに対応した動力源が必要となり、エネルギー損失が大きくなる欠点がある。
【０００３】
また、単に散気管（散気板）、エジェクタ等を水中に設置して曝気を行なうのでは、上記のように気泡が上昇し易いためその効果が設置箇所に限られ、広く効果がゆきわたり難い。また、空気を送り込むエアブロワ等陸上の装置から曝気位置までの距離は送気管の関係から極めて限定され、処理水域は陸際に限られる。
【０００４】
それに対して、例えば図５に示す特開平８−２４７９号（特許文献１）の「水域浄化船」のように、船舶１０１上に加圧タンク１０２を設け、ポンプ１０３により水中の吸込ホース１０４から表層水を吸い上げて加圧タンク１０２内に圧入し、一方、エアブロワ１０５により加圧空気を加圧タンク１０２内の散気管１０６に圧入して曝気を行い加圧水中に酸素を溶存させて、その加圧タンク１０２内の水を水中に下ろした傾斜型水中送水管１０７を介して底層水中に送り込むもの等が考えられている。
【０００５】
図５の水域浄化船のようなものの場合、加圧タンク１０２内で曝気を行なうので水中の酸素の溶存量を向上でき、また、船舶１０１上に全ての装置を備えているので、処理箇所を移動でき広い水域の浄化処理が可能となる利点がある。
【０００６】
しかし、その場合も加圧下での溶存酸素は加圧タンク１０２から開放後は放出され易い上、傾斜型水中送水管１０７に送り込まれる酸素溶存水には加圧タンク１０２から曝気空気の気泡が混入し易く、傾斜型水中送水管１０７から底層水中へ送入された後は酸素溶存水は気泡とともに上昇しやすい。したがって酸素溶存水の底層水への影響はスポット的になり、その点を徐々に移動できるとしても、広い水域の浄化処理としては効率を上げ難い面があった。
【０００７】
また、水の浄化を単に酸素の溶存量増加によっていることは、積極的な水質浄化という観点からは不十分な面があった。
【０００８】
さらに、船舶上に全ての装置を搭載することは、推進装置、操舵装置を有する専用の「水域浄化船」を必要とするものであり、その船舶を含む設備コストは大きなものとなり、船舶であるため法的な制限も多く、また、船舶が適合しにくい水深の浅い河川、湖沼、水位変動の大きい湾内等も多くあり、実施することのできる諸条件は限定される。
【０００９】
【特許文献１】
特開平８−２４７９号公報（図１等）
【００１０】
【発明が解決しようとする課題】
本発明は、上記のような従来の水質浄化装置の問題を解消し、効果的な水質浄化性能を有し、広い水域の浄化に適し、移動が容易で、コストが低減する移動式水質浄化装置を提供することを目的とするものである。
【００１１】
【課題を解決するための手段】
（１）本発明は、上記の課題を解決するためになされたものであって、その第１の手段として、浄化しようとする水域の水を汲み上げ、この水にオゾンガスを溶解させて、再度前記水域に放流する移動式水質浄化装置であって、前記水域内の水を汲み上げるポンプと、同ポンプにより汲み上げられた水に酸素を含むガスおよびオゾンガスを吸入させる個々または共通のインジェクタと、前記酸素を含むガスおよびオゾンガスを吸入した水を貯留する貯留タンクと、前記インジェクタに酸素を含むガスを供給する酸素を含むガスの供給手段と、同インジェクタにオゾンガスを供給するオゾンガス供給手段と、前記移動式水質浄化装置内の機器に電力を供給する電力供給手段と、同移動式水質浄化装置内の機器の制御手段とを水上に浮上する浮体内に搭載し、前記貯留タンク内の水を前記水域に放流する放流手段を備えてなることを特徴とする移動式水質浄化装置を提供する。
【００１２】
上記の構成により、第１の手段によれば、供給するオゾンガスの量を増やすことなく、水中に酸素を含むガスとともに吸入し、その酸素を含むガスの量を増やすことで、オゾンと水の接触効率を向上させることができ、オゾンにより殺菌浄化された水は、酸素、オゾンが略飽和状態に溶解した溶解水の状態となって、水底方向へ末広がりになりながら進んで行くのでスポット的な浄化でなく広い水域の浄化が可能であり、また、ポンプ、インジェクタ、攪拌タンク、貯留タンク等と、電力、酸素を含むガス、およびオゾンガス等の供給手段、制御手段が浮体内に搭載されているので、任意の地点に曳き船等で低コストで移動し水質浄化処理を行え、水深等の制限を受け難く、水域を選ばない。また、陸電が得られる地域に限られず、また陸際の水域のみでなく、沖合まで含めた広い水域の水質浄化処理が可能である。
【００１３】
（２）第２の手段としては、第１の手段の移動式水質浄化装置において、前記浮体は単数ないしは締結され互いに分割可能な複数の隔室からなり、周囲に複数のフロートを取外し可能に取り付けてなることを特徴とする移動式水質浄化装置を提供する。
【００１４】
第２の手段によれば、第１の手段の作用に加え、水上においてはフロートにより安定した浮上状態が得られ、連続していない水域に移動する場合も、浮体が個別の隔室からなるため、複数隔室の場合も締結を外して分割でき、フロートも取外し、ユニット単位で陸上輸送を行えるので、陸上輸送が容易である。
【００１５】
（３）また、第３の手段として、第２の手段の移動式水質浄化装置において、前記隔室は輸送用コンテナの外寸、固定具、強度の規格に準拠していることを特徴とする移動式水質浄化装置。
【００１６】
第３の手段によれば、第２の手段の作用に加え、特に主要装置部を納めた隔室が陸上輸送が許される輸送用コンテナの外寸、固定具、強度等の規格に準拠しているため、陸上輸送の自由度が非常に高いものとなる。
【００１７】
【発明の実施の形態】
図１から図４に基づき、本発明の実施の一形態に係る移動式水質浄化装置を説明する。図１は、本実施の形態の移動式水質浄化装置の浄化装置部の構成概念説明図である。図２は本実施の形態の移動式水質浄化装置の平面図、図３は図２中Ａ−Ａ矢視による立面断面図、図４は図２中Ｂ−Ｂ矢視による立面断面図である。
【００１８】
本実施の形態の移動式水質浄化装置の浄化装置部につき図１に基づき以下説明する。この浄化装置部は本発明に関連し検討された未公開の新規な浄化装置である。
【００１９】
図１に示すように、本実施の形態の移動式水質浄化装置の浄化装置部は、浄化しようとする水域内から汲み上げた被処理水（以下、単に「水」という）を攪拌する攪拌タンク１および攪拌タンク１から導入した水を貯留する貯留タンク２の二つのタンクを備える。これらのタンクは常圧下で用いられるので貯留する水の自重による圧力しか作用しないため、鋼、ステンレス鋼の他、樹脂等を用いることもできる。
【００２０】
攪拌タンク１には、水中に挿入配置されるストレーナ３、ストレーナ３に配管Ｐ１　を介して接続されたポンプ４、および、ポンプ４へ配管Ｐ２　を介して接続され、ポンプ４によって汲み上げた水に酸素ガス（Ｏ２　）およびオゾンガス（Ｏ３　）を吸入するインジェクタ５が接続されている。
【００２１】
インジェクタ５からの水は配管Ｐ３　を介して攪拌タンク１内面の略接線方向に向いたノズル６から攪拌タンク１内に吐出され、攪拌タンク１内の水は渦流となって攪拌される。図１において渦流はノズル６の位置を下部に置き下方から上方へ移行するようにしているが、逆に上方から下方に移行するようにしてもよい。
【００２２】
攪拌タンク１上部と貯留タンク２上部との間は配管Ｐ４　によって連通され、攪拌タンク１からの水は、貯留タンク２内のシャワーノズル７により水面上に斜め方向に叩き付けるように放出される。貯留タンク２内に貯留された水はシャワーノズル７から水面上に叩き付けられた水によって回転し、その遠心力で水面は壁面に迫り上がるようになる。
【００２３】
貯留タンク２内に貯留された水は開閉バルブ８を設けた配管Ｐ５　を介して吐出ノズル９から浄化しようとする水域内に放流される。
【００２４】
なお、貯留タンク２の上部には、貯留タンク２の水面上のガスをインジェクタ５へ戻す戻り流路としての配管Ｐ６　が接続される。また、貯留タンク２の水面上のガスが一定以上となった場合に、貯留タンク２内のガスを外部へ放出する脱気装置１０が設けられる。貯留タンク２内上部には、貯留タンク２の水面上に発生する泡を吹き消すために電動羽根を備えた消泡機１１が設けられる。
【００２５】
以上のような本実施の形態の移動式水質浄化装置の浄化装置部において前述の従来の水質浄化装置と異なる点の一つは、単に酸素（ないしは空気）を吹き込み曝気処理をしたり、水中の溶存酸素を増加させるだけではなく、水中にオゾンを吸入させ、オゾンの酸化力、殺菌力によって積極的に水質浄化を行なうことである。
【００２６】
また、従来からオゾンガスを吸入させて水質浄化を行なうこと自体は知られていたが、単にオゾンガスを吹き込んで浄化を行なおうとすれば、徒に高コストのオゾン発生装置を多数要すものとなり、また吹き込まれたオゾンガスが反応せず無駄に放出される事態も生じる問題があった点も解消したことである。
【００２７】
すなわち、ストレーナ３からポンプ４によって汲み上げられた水には、インジェクタ５において酸素ガスを含むガスおよびオゾンガスが吸入される。例えば、水１００％に対して酸素ガス１００％、オゾンガス２０％である。
【００２８】
酸素を含むガスとオゾンガスは水中において無数の気泡の形で混合するから、各気泡においてオゾンガスが水と接触し、オゾンガス単体を吹き込んだ場合よりはるかにオゾンガスと水の接触面積が増大し、気泡中のオゾンガスの純度が高くなくてもオゾンによる殺菌浄化作用が十分に発揮される。
【００２９】
したがって、供給するオゾンガスの量を増やすことなく、水中に酸素を含むガスとともに吸入し、その酸素を含むガスの量を増やすことで、オゾンと水の接触効率を向上させることができる。
【００３０】
なお、酸素を含むガスとしては、純酸素や空気を用いることができ、オゾンガスとしては、オゾンガス発生装置等によって生成した純オゾンを酸素と混合したガスを用いることができる。
【００３１】
インジェクタ５において酸素ガスを含むガスおよびオゾンガスが吸入された水は、攪拌タンク１内で攪拌されるのでオゾンとの接触時間が向上し、さらに貯留タンク２内へシャワーノズル７により水面上に斜め方向に叩き付けるように放出されることで、貯留タンク２内の水も回転し水面の迫り上がりによる接触面積増大と相俟って貯留タンク２内に残留するオゾン成分を含むガスと水の接触が十分に行なわれ、水中への各ガスの溶解効率も向上する。
【００３２】
なお、貯留タンク２内上部の残留オゾンを含むガスは、配管Ｐ６　からインジェクタ５に戻され、水中へ吸入されて水の殺菌浄化に再利用される。
【００３３】
こうしてオゾンにより殺菌浄化され貯留タンク２内に貯留された水は、貯留タンク２下部から抜き出され、配管Ｐ５　、開閉バルブ８を介して吐出ノズル９より浄化しようとする水域に放流され、処理水域の水質を改善することができる。
【００３４】
水の放流にあたっては、既にオゾンの殺菌、酸化作用によって処理済水は浄化された状態にあるが、貯留タンク２内で気泡が抜け、酸素、オゾンが略飽和状態に溶解した溶解水の状態となっており、比重も水１．０に対して１．０００１程度となっているため、吐出ノズル９を水底（または海底）面に向けると、吐出された溶解水は、僅かな吐出圧で押されるように水底方向へ末広がりになりながら進んで行く。
【００３５】
そのため、上述の従来の酸素溶存水や曝気水が気泡を多量に有するため上昇流となりスポット的な浄化となってしまう問題を解消し、一点からでも相当に広い水域の浄化を可能とし、オゾンの殺菌、酸化作用ともども、非常に効果的な浄化装置となる。
【００３６】
しかしながら、上記の本発明に係る浄化装置は、攪拌タンク１、貯留タンク２、ポンプ４等に加え、酸素を含むガスと、オゾンガスを発生させる装置等複数の装置を要し、そのための電力供給を要する。
【００３７】
そのため、陸上に供給回線のある電力（陸電）を用いる場合は陸上に定置されるものとなり、上記のように従来の水質浄化装置に比べ、広い水域の浄化を可能とするものではあるが、一地点からの処理済水の放出では限りがあり、比較的小さな沼、池、河川に浄化対象が限定され、あるいは陸電の得られる地域に限定される。また、処理済水の放出地点を移動しようとすれば、装置の分解、移動、組み立て再設置にコストと、時間を要する。
【００３８】
本発明の移動式水質浄化装置は、さらにその問題も解決し、効果的な水質浄化性能を有し、広い水域の浄化に適し、移動が容易で、コストを低減したものであり、本発明の実施の一形態に係る移動式水質浄化装置を、図２から図４に基づき説明する。図２は本実施の形態の移動式水質浄化装置の平面図、図３は、図２中Ａ−Ａ矢視による立面断面図、図４は、図２中Ｂ−Ｂ矢視による立面断面図である。
【００３９】
また、図２から図４において、浄化装置部は、その構成概念を前述した図１のものと同様であり、図１も併せ参照する。なお、図１に示したものと同じ部分には同じ符号を付して対応を明らかにするとともに、説明の繰り返しは省略する。
【００４０】
図２において、１５は浄化装置部等の機器を搭載する浮体であり、本実施の形態においては、第１隔室１５ａ、第２隔室１５ｂの２区画より形成されている。各隔室１５ａ、１５ｂは、鋼製の梁とＦＲＰ（Ｆｉｂｅｒ　Ｒｅｉｎｆｏｒｃｅｄ　Ｐｌａｓｔｉｃｓ）　　の外板、鋼板の内張りからなる箱体で、独立しても個々に水上に浮かぶことのできる構造としており、互いに締結されて一体の浮体１５を形成している。
【００４１】
また、各隔室１５ａ、１５ｂは、その長さ、幅、高さを陸上輸送が認められる大きさとしており、例えば、陸上輸送が認められた海上コンテナ、鉄道コンテナ等の輸送用コンテナの外寸、固定具、強度等の規格に準拠している。
【００４２】
１６は、複数のフロートであり、浮体１５の周囲を囲むように締結して組み立てられた連結梁１７の下部に並べて取り付けられている。浮体１５は水に浸かって浮上しているが、さらに図示しないステー部材によって連結梁１７に締結固定されて支持され、フロート１５により安定的に水上に浮上している。また、移動時以外は連結梁１７からはアンカー１８が下ろされ、浮体１５の位置を定めている。
【００４３】
第１隔室１５ａ内には、図１に示した浄化装置部の要部が搭載され、攪拌タンク１、貯留タンク２、ポンプ４等が搭載され、その間の各配管Ｐ１　〜Ｐ６　が設けられる。配管Ｐ１　は浮体の喫水線より高い位置で第１隔室１５ａの壁部を水密的に挿通しその先端にストレーナ３を浄化しようとする水域内の水中に位置させている。
【００４４】
ただし、本実施の形態においては、図１の１列の配管２、インジェクタ５、配管Ｐ３　に代えて、ポンプ４から並列２列に分かれて、配管２、２′、インジェクタ５、５′、配管Ｐ３　、Ｐ３　′が設けられ、インジェクタ５からは酸素ガスが、インジェクタ５′からはオゾンガスが、ポンプ４から送られてきた水に吸入される。
【００４５】
インジェクタ５、５′からの水はそれぞれ配管Ｐ３　、Ｐ３　′を介し攪拌タンク１に送られ、図１で説明したように攪拌タンク１内で渦流となる。本実施の形態においては渦流は上方から下方に移行するように形成され、攪拌タンク１下部から貯留タンク２上部へと配管Ｐ４　が接続している。
【００４６】
貯留タンク２下部には配管Ｐ５　が接続し、開閉バルブ８を介して吐出口１２が形成され、吐出口１２は浮体１５の喫水線より上方で第１隔室１５ａの壁部を水密的に挿通している。吐出口１２には吐出手段として吐出管１３が接続して、連結梁上に敷設されるとともにさらに水中へ延在し、水中の図示しない吐出ノズルから浄化処理済の、酸素、オゾンが略飽和状態に溶解した溶解水を、浄化しようとする水域に放流する。
【００４７】
第１隔室１５ａ内には、他に酸素を含むガスの供給手段として酸素ガスを加圧空気から生成する酸素発生機１９、オゾンガスの供給手段としてオゾンガスを加圧空気から生成するオゾナイザ２０が搭載され、酸素発生機１９からの酸素ガス配管Ｐ７　がインジェクタ５に接続し、オゾナイザ２０からのオゾンガス配管Ｐ８　はインジェクタ５′に接続している。また、２１ａは第１燃料タンクである。
【００４８】
なお、配管Ｐ３　、Ｐ３　′、配管Ｐ４　にも開閉弁を設けており、また、図１の戻り配管Ｐ６　、脱気装置１０、消泡機１１は図示省略している。
【００４９】
第１隔室１５ａに隣合わせに締結された第２隔室１５ｂ内には、制御盤２２、電力供給手段としてのエンジン発電機２３とその潤滑油タンク２４、圧縮機２５とその吐出加圧空気のエアータンク２６、第２燃料タンク２１ｂが設けられ、エンジン発電機２３は第１、第２燃料タンク２１ａ、２１ｂの燃料によって発電機を駆動して移動式水質浄化装置全体に電力を供給し、エアータンク２６からは加圧空気配管Ｐ９　が酸素発生機１９に接続し、加圧空気配管Ｐ１０がオゾナイザ２０に接続している。制御盤２２は移動式水質浄化装置全体の各機器の制御手段としての制御盤であり、要に応じて乗り組んだオペレータによって操作され、あるいは設定された条件に従って自動制御を行う。
【００５０】
加圧空気配管Ｐ９　、Ｐ１０、燃料配管、電力配線、制御配線等は、適宜の連結手段によって、両隔室１５ａ、１５ｂ間を分割可能に接続している。
【００５１】
両隔室１５ａ、１５ｂ間の機器配置は、相互の分割可能な接続が容易になるように設定されるとともに、相互の重量バランスを考慮し、浮上が安定するように設定される。例えば、本実施の形態では浄化装置部の要部は第１隔室１５ａ内にまとめ、水の配管を第１隔室１５ａ側に集中し、また第１、第２燃料タンクを両隔室１５ａ、１５ｂの対称位置に設けている。
【００５２】
以上のような本実施の形態の移動式水質浄化装置においては、酸素ガスとオゾンガスが、図１のように共通のインジェクタ５でなく、個々のインジェクタ５、５′から並列的に水に吸入されるが攪拌タンク１内で無数の気泡の形で混合し、図１で説明したように、供給するオゾンガスの量を増やすことなく、水中に酸素を含むガスとともに吸入し、その酸素を含むガスの量を増やすことで、オゾンと水の接触効率を向上させることができ、オゾンにより殺菌浄化され貯留タンク２内に貯留された水は、貯留タンク２下部から抜き出され、浄化しようとする水域に吐出されて放流し、処理水域の水質を改善することができる。
【００５３】
また、吐出される水はオゾンの殺菌、酸化作用によって浄化された状態である上、酸素、オゾンが略飽和状態に溶解した溶解水の状態となって、僅かな吐出圧で押されるように水底方向へ末広がりになりながら進んで行くので広い水域の浄化を可能とし、オゾンの殺菌、酸化作用ともども、非常に効果的な浄化装置となる。
【００５４】
そして、浄化装置部が浮体１５内に搭載され、その稼働に必要な電力、酸素ガス（酸素を含むガス）、オゾンガス等の供給手段、制御手段も搭載されているので、浮体１５は小型曳き船で水上の任意の地点に移動して水質浄化処理を行え、また、アンカー１８によってその処理地点を一定の間固定して水質浄化処理を行うことができる。また、水深等の制限を受け難く、水域を選ばない。
【００５５】
特に、エンジン発電機２３、両燃料タンク２１ａ、２１ｂ等の電力供給手段　を備えることにより、陸電に頼る必要がなく、陸電が得られる地域に限られず、、また陸際の水域のみでなく、沖合まで含めた広い水域の水質浄化処理が可能となる。
【００５６】
また、フロート１６、連結梁１７に取り付けられた浮体１５は、バージであって船舶ではなく、法的にも拘束が少なく自由度が高く、維持コストも低いものとできる。
【００５７】
浄化処理地点の移動は、臨時の小型曳き船作業によれば良く、極めて効率的且つ低コストのものとできる。連続していない水域に移動する場合も、浮体１５は個別の各隔室１５ａ、１５ｂ単位に締結を外して分割でき、フロート１６、連結梁１７、図示しないステー部材も締結を外して分解し、さらに吐出口１２から吐出管１３を取外し、浄化装置等の分解を行わずユニット単位で陸上輸送を行えるので、陸上輸送が容易であり、時間、コストは大きく低減される。特に主要装置部を納めた各隔室１５ａ、１５ｂは陸上輸送が許される輸送用コンテナの外寸、固定具、強度等の規格に準拠したものとした場合は、陸上輸送の自由度が非常に高いものとなる。
【００５８】
このため、従来陸際の限られた水域に限定され、また、水上においてもスポット的な浄化しかできなかった水質浄化処理を、本実施の形態の移動式水質浄化装置によれば、沖合を含めて水上の処理地点を選ばず移動も容易で多様な広い水域の水質浄化処理が可能となり、オゾンの殺菌、酸化作用と、酸素、オゾンが略飽和状態に溶解した溶解水の広範囲な放流を行なうことと相俟って、非常に効果的且つ効率的な水質浄化処理とすることができ、また、その維持コスト、運転コスト、移動のコスト、時間を低減し、陸上を含めた移動の自由度も高めることができる。
【００５９】
以上、本発明の実施の形態を説明したが、本発明は上記実施の形態に限定されるものではなく、本発明の範囲内でその具体的構造に種々の変更を加えてよいことはいうまでもない。
【００６０】
例えば、浮体１５は、２個の隔室１５ａ、１５ｂに限らず、可能であれば１個の隔室によってもよく、また３個以上の複数の隔室によってもよい。また必ずしも各隔室は輸送用のコンテナに準拠する必要はなく、必要な範囲の仕様によって構成してもよい。
【００６１】
また、酸素を含むガスとオゾンガスの注入は、図２から図４に示したように並列の配管Ｐ２　、Ｐ２　′に接続する個々のインジェクタ５、５′で行うものでなく、図１に示すように１本の配管Ｐ２　上の共通のインジェクタ５において併せ行ってもよい。
【００６２】
攪拌タンク１内の渦流は上方から下方へ形成し配管Ｐ４　を攪拌タンク１の下部に接続するのではなく、図１に示すように渦流は下方から上方へ形成し配管Ｐ４　を攪拌タンク１の上部に接続するものでもよい。
【００６３】
さらに、各隔室１５ａ、１５ｂの材質、構造、および内部の各装置、機器の配置、配管は、図示のものに限られるものではなく、本発明の作用効果を奏し得る適宜のものでよく、フロート１６、連結梁１７の配置、形状も適宜でよい。
【００６４】
移動式水質浄化装置全体の各機器の制御は制御盤２２で行うように示してあるが、携帯電話、パソコン等でインターネットを利用して、酸素濃度、油温、水温、圧力等を管理することにより、陸上から遠隔で装置の状態を把握して制御できるようにすれば、小型船舶で現場に赴く時間、コストを低減できる。
【００６５】
【発明の効果】
（１）請求項１の発明によれば、移動式水質浄化装置を、浄化しようとする水域の水を汲み上げ、この水にオゾンガスを溶解させて、再度前記水域に放流する移動式水質浄化装置であって、前記水域内の水を汲み上げるポンプと、同ポンプにより汲み上げられた水に酸素を含むガスおよびオゾンガスを吸入させる個々または共通のインジェクタと、前記酸素を含むガスおよびオゾンガスを吸入した水を貯留する貯留タンクと、前記インジェクタに酸素を含むガスを供給する酸素を含むガスの供給手段と、同インジェクタにオゾンガスを供給するオゾンガス供給手段と、前記移動式水質浄化装置内の機器に電力を供給する電力供給手段と、同移動式水質浄化装置内の機器の制御手段とを水上に浮上する浮体内に搭載し、前記貯留タンク内の水を前記水域に放流する放流手段を備えてなるように構成したので、供給するオゾンガスの量を増やすことなく、水中に酸素を含むガスとともに吸入し、その酸素を含むガスの量を増やすことで、オゾンと水の接触効率を向上させることができ、オゾンにより殺菌浄化された水は、酸素、オゾンが略飽和状態に溶解した溶解水の状態となって、水底方向へ末広がりになりながら進んで行くためスポット的な浄化でなく広い水域の浄化が可能であり、また、ポンプ、インジェクタ、攪拌タンク、貯留タンク等と、電力、酸素を含むガス、およびオゾンガス等の供給手段、制御手段が浮体内に搭載されているため、任意の地点に曳き船等で低コストで移動し水質浄化処理を行え、水深等の制限を受け難く、水域を選ばない。また、陸電が得られる地域に限られず、また陸際の水域のみでなく、沖合まで含めた広い水域の水質浄化処理が可能であり、船舶でなく浮体構造のため、装置の運用の自由度が高く、維持コストも低いものとできる。
【００６６】
（２）請求項２の発明によれば、請求項１に記載の移動式水質浄化装置において、前記浮体は単数ないしは締結され互いに分割可能な複数の隔室からなり、周囲に複数のフロートを取外し可能に取り付けてなるように構成したので、請求項１の発明の効果に加え、水上においてはフロートにより安定した浮上状態が得られ、連続していない水域に移動する場合も、浮体が個別の隔室からなるため、複数隔室の場合も締結を外して分割でき、フロートも取外し、ユニット単位で陸上輸送を行えるため、陸上輸送が容易であり、時間、コストは大きく低減される。
【００６７】
（３）請求項３の発明によれば、請求項２に記載の移動式水質浄化装置において、前記隔室は輸送用コンテナの外寸、固定具、強度の規格に準拠しているように構成したので、請求項２の発明の効果に加え、特に主要装置部を納めた隔室が陸上輸送の許される輸送用コンテナの外寸、固定具、強度等の規格に準拠しているため、陸上輸送の自由度が非常に高いものとなる。
【図面の簡単な説明】
【図１】本発明の実施の一形態に係る移動式水質浄化装置の浄化装置部の構成概念説明図である。
【図２】本実施の形態の移動式水質浄化装置の平面図である。
【図３】図２中Ａ−Ａ矢視による立面断面図である。
【図４】図２中Ｂ−Ｂ矢視による立面断面図である。
【図５】従来の水域浄化船の説明図である。
【符号の説明】
１　　　　　　　　　攪拌タンク
２　　　　　　　　　貯留タンク
３　　　　　　　　　ストレーナ
４　　　　　　　　　ポンプ
５、５′　　　　　　インジェクタ
６　　　　　　　　　ノズル
７　　　　　　　　　シャワーノズル
８　　　　　　　　　開閉バルブ
９　　　　　　　　　吐出ノズル
１０　　　　　　　　脱気装置
１１　　　　　　　　消泡機
１２　　　　　　　　吐出口
１３　　　　　　　　吐出管
１５　　　　　　　　浮体
１５ａ　　　　　　　第１隔室
１５ｂ　　　　　　　第２隔室
１６　　　　　　　　フロート
１７　　　　　　　　連結梁
１８　　　　　　　　アンカー
１９　　　　　　　　酸素発生機
２０　　　　　　　　オゾナイザ
２１ａ　　　　　　　第１燃料タンク
２１ｂ　　　　　　　第２燃料タンク
２２　　　　　　　　制御盤
２３　　　　　　　　エンジン発電機
２４　　　　　　　　潤滑油タンク
２５　　　　　　　　圧縮機
２６　　　　　　　　エアータンク
【図１】
2004097982.tif 000003
【図２】
2004097982.tif 000004
【図３】
2004097982.tif 000005
【図４】
2004097982.tif 000006
【図５】
2004097982.tif 000007